(57)【要約】  左旋円偏波（ＬＨＣＰ）信号および右旋円偏波（ＲＨＣＰ）信号の両方を受信して両信号を単一給電上に出力することができるアンテナ。アンテナは同一平面上の２つの同心のパッチを含み、内側パッチは実質的に正方形である。外側パッチは内側および外側の周辺部を有し、どちらも正方形である。２つのパッチは、互いと物理的に接触しない。内側パッチに単一給電が結合される。内側パッチがＬＨＣＰ信号を受信し、２つのパッチがともにＲＭＣＰ信号を受信する。
2008543204.tif 000002
【特許請求の範囲】
【請求項１】
アンテナであって、
実質的に平面状の第１のアンテナ素子と、
前記第１のアンテナ素子を囲む実質的に平面状の第２のアンテナ素子であって、前記第１および第２のアンテナ素子が実質的に同一平面上にある、第２のアンテナ素子と、
前記第１および第２のアンテナ素子のうち１つのみに結合された給電と
を備え、それによって異なった周波数および異なった偏波を有する少なくとも２つの信号が前記給電上に生じるアンテナ。
【請求項２】
前記異なった偏波が円偏波である請求項１に記載のアンテナ素子。
【請求項３】
前記第１および第２のアンテナ素子が互いに物理的な離間をしている請求項１に記載のアンテナ素子。
【請求項４】
前記第１のアンテナ素子が実質的に正方形であり、
前記第２のアンテナ素子が実質的に正方形の内側周辺部および実質的に正方形の外側周辺部を有する、
請求項１に記載のアンテナ素子。
【請求項５】
前記第１のアンテナ素子および前記第２のアンテナ素子の前記内側周辺部が、実質的に一様な幅の間隙を画定する請求項４に記載のアンテナ素子。
【請求項６】
前記給電が前記第１のアンテナ素子に結合される請求項１に記載のアンテナ素子。
【請求項７】
アンテナであって、
第１の周波数および第１の偏波を有する第１の信号を受信するように適合された第１のアンテナ素子と、
前記第１の周波数と異なる第２の周波数および第２の偏波を有する第２の信号を受信するように適合された第２のアンテナ素子と、
前記両アンテナ素子のうち１つのみに結合された単一給電と
を備え、それによって該第１および第２の信号が前記給電上に生じるアンテナ。
【請求項８】
前記第１および第２の偏波が円偏波である請求項７に記載のアンテナ素子。
【請求項９】
前記第１および第２のアンテナ素子が互いに物理的な接触をしない請求項７に記載のアンテナ素子。
【請求項１０】
前記第２のアンテナ素子が前記第１のアンテナ素子を囲む請求項７に記載のアンテナ素子。
【請求項１１】
前記第１および第２のアンテナ素子が実質的に平面状であり、かつ実質的に同一平面上にある請求項７に記載のアンテナ素子。
【請求項１２】
前記第１のアンテナ素子が実質的に正方形であり、
前記第２のアンテナ素子が実質的に正方形の内側周辺部および実質的に正方形の外側周辺部を含み、前記第１および第２のアンテナ素子が実質的に同心である
請求項１１に記載のアンテナ素子。
【請求項１３】
前記第１のアンテナ素子および前記第２のアンテナ素子の前記内側周辺部が、全体的に一様な間隙を画定する請求項１２に記載のアンテナ素子。
【請求項１４】
前記単一給電が前記第１のアンテナ素子に結合される請求項７に記載のアンテナ素子。
【請求項１５】
アンテナであって、
実質的に正方形で４つの角を有し、前記４つの角のうち互いに対角線上にある２つの角が直角でない、実質的に平面状の第１のアンテナ素子と、
前記第１のアンテナ素子と実質的に同一平面上で、前記第１のアンテナ素子を囲む実質的に平面状の第２のアンテナ素子であって、前記第２のアンテナ素子が、各々が実質的に正方形で４つの角を有する内側周辺部および外側周辺部を有し、前記内側周辺部と前記外側周辺部が実質的に同心であり、前記内側および外側の周辺部の各々上の前記角のうち互いに対角線上にある２つが直角でなく、前記内側周辺部の前記２つの角が、前記第１のアンテナ素子の前記２つの角と隣接し、前記外側周辺部の前記２つの角が、前記第１のアンテナの前記２つの角から離れている、第２のアンテナ素子と、
前記第１のアンテナ素子にのみ物理的に結合された給電と
を備え、前記第２のアンテナ素子が給電を有しないアンテナ。
【請求項１６】
前記第１および第２のアンテナ素子が互いに物理的な接触をしない請求項１５に記載のアンテナ素子。
【請求項１７】
前記第１のアンテナ素子および前記第２のアンテナ素子の前記内側周辺部が、実質的に一様な幅を有する間隙を画定する請求項１５に記載のアンテナ素子。
【発明の詳細な説明】
【技術分野】
【０００１】
本発明はアンテナに関し、より詳細には多周波かつ多偏波の信号を受信するためのアンテナに関する。
【背景技術】
【０００２】
ますます無線化する世界において、アンテナはさらに普及している。これは、ＡＭラジオ、ＦＭラジオ、衛星ラジオ、セル式電話およびＧＰＳのうち１つまたは複数のためのアンテナを一般に含む自動車に特に当てはまる。これらの信号は様々な周波数および偏波のものである。例えば、衛星ラジオ（例えば商標名ＸＭおよびＳｉｒｉｕｓ）に関連する信号は、２．３２０ＧＨｚから２．３４５ＧＨｚの範囲にある左旋円偏波（ＬＨＣＰ）であり、また、全地球測位システム（ＧＰＳ）に関連する信号は、１．５７４ＧＨｚから１．５７６ＧＨｚの範囲にある右旋円偏波（ＲＨＣＰ）である。
【０００３】
アンテナ・パッケージ内で、複数のアンテナが、複数の給電により、多重信号を受信し、かつ出力するものが開発されている。しかし、これらのパッケージは望ましくなく複雑で高くつき、複数の給電も望ましくない。
【発明の開示】
【発明が解決しようとする課題】
【０００４】
これら従来技術のアンテナ・パッケージが有効で普及していることが分っているが、さらに簡単でコンパクトかつ廉価な設計のアンテナの必要性がますます高まっている。
【課題を解決するための手段】
【０００５】
前記の問題は、単一のアンテナが、多周波かつ多偏波の信号を受信し、単一給電を介してそれらの信号を出力する本発明で克服される。
開示された実施形態では、アンテナは同一平面上の内側パッチおよび外側パッチを含む。外側パッチが内側パッチを囲む。２つのパッチは、互いに物理的に離隔されている。内側パッチに単一給電が結合される。内側パッチは、第１の周波数において第１のアンテナ偏波検出で共振する。外側パッチは、第２の周波数において第２の偏波検出で共振する。第１の周波数と第２の周波数は異なる。第１のアンテナ偏波検出と第２のアンテナ偏波検出は、同一であっても別であってもよい。両信号は単一給電上に出力される。
【０００６】
さらに好ましい実施形態では、２つのパッチは基体上の金属化層である。
本発明のアンテナは、比較的簡単かつ廉価であり、そのうえ非常に有効かつ効率的である。このアンテナによって、様々な周波数で様々な偏波の信号を単一給電で出力することができる。
【発明を実施するための最良の形態】
【０００７】
これらの目的および他の目的、利点ならびに本発明の特徴は、現行の実施形態および図面の説明を参照することによって、より容易に解され理解されるであろう。
本発明の現行の１実施形態によって構成されたアンテナが図１〜図３に示され、全体的に１０で示されている。このアンテナは、基体１２、内側パッチ１４、外側パッチ１６および単一給電すなわちリードの１８を含む。内側パッチ１４および外側パッチ１６が基体１２上に取り付けられる。単一給電１８が基体１２を通って延び、内側パッチ１４に結合される。内側パッチ１４が、第１の周波数および第１の偏波を有する信号を受信し、内側パッチ１４および外側パッチ１６が、ともに第２の周波数および第２の偏波を有する信号を受信する。両周波数は異なり、両偏波も異なる。両信号は、単一給電１８上に出力される。
【０００８】
基体１２は、アンテナ技術の熟練者には周知である。基体は、プラスチックまたはセラミックなど任意の適当な非導電性材料で製作することができる。基体１２は、アンテナ１０の残りの素子を支持する。
【０００９】
３つの図の間で方向を明瞭にするために、図１〜図３には方向Ｘ、ＹおよびＺが含まれている。Ｘ軸およびＹ軸は、同一面上の２つのパッチ１４および１６の面内に位置する。Ｚ軸はパッチの面に垂直であり、パッチの中心を通って延びる。
【００１０】
上面図（特に図３を参照されたい）で見たとき、内側パッチ１４は、実質的に、または全体的に正方形である。内側パッチ１４は、正方形として４つの角２０ａ、２０ｂ、２２ａおよび２２ｂを有する。対角線上にある２つの角２０ａおよび２０ｂは実質的に直角であり、他の対角線上にある２つの角２２ａおよび２２ｂは実質的に直角でなく、これは円偏波信号用アンテナには普通のことである。現行の実施形態では、角２２ａおよび２２ｂは、内側パッチ１４の側に対して４５°の角度で切れられている。角２２ａおよび２２ｂが直角でない場合の他の適切な技術は、当業者に既知であり、また、知られるはずである。
【００１１】
外側パッチ１６は、内側パッチ１４のまわりに額縁のように形成されている。外側フレーム１６は、実質的に正方形の内側周辺部２４および実質的に正方形の外側周辺部２６を有する。２つの周辺部２４および２６は、実質的に同心である。
【００１２】
外側パッチ１６の内側周辺部２４は実質的に正方形であり、４つの角３０ａ、３０ｂ、３２ａおよび３２ｂを含む。対角線上にある２つの角３０ａおよび３０ｂは、実質的に直角であり、他の対角線上にある２つの角３２ａおよび３２ｂは実質的に直角でない。直角でない角３２ａおよび３２ｂは、内側パッチ１４上の直角でない角２２ａおよび２２ｂに最も近いかまたは隣接する。
【００１３】
外側パッチ１６の外側周辺部２６も実質的に正方形であり、４つの角３４ａ、３４ｂ、３６ａおよび３６ｂを含む。対角線上にある２つの角３４ａおよび３４ｂは、実質的に直角であり、他の対角線上にある２つの角３６ａおよび３６ｂは実質的に直角でない。直角でない角３６ａおよび３６ｂは、内側パッチ１４の直角でない角２２ａおよび２２ｂから離れている。内側パッチの直角でない角のように、直角でない角３２ａ、３２ｂ、３６ａおよび３６ｂは、正方形の内側周辺部２４の側に対して４５°の角度を成している。他の適切な形状は当業者に既知であり、また、知られるはずである。
【００１４】
外側パッチ１６の内側周辺部２４は、内側パッチ１４から離隔される。そのうえ、２つのパッチ１４および１６は、共通の重心軸Ｚに関して同心に配置される。したがって、パッチ１４および１６がその間に間隙４０を画定し、その結果パッチ１４と１６は互いに物理的に離間している。間隙の幅は、内側パッチ１４の外周のまわりで実質的に一様である。間隙は、角２２ａ、２２ｂ、３２ａおよび３２ｂの領域で広くなる。
【００１５】
現行の実施形態では、パッチ１４および１６は、基板１２上に直接形成される金属化された層である。各パッチは実質的に平面状であり、２つのパッチは実質的に同一平面上にある。
【００１６】
パッチ１４および１６の相対的なサイズ、形状および方向は、試行錯誤のプロセスを通じて調整することができる。図に示されたパッチ１４および１６は現行の実施形態を示し、諸性能要素間のバランスをもたらすように調整されている。当業者なら、諸性能要素間の様々なバランスを実現するために、パッチを様々に調整することができることを理解するはずである。
【００１７】
単一給電１８は、内側パッチ１４にのみ結合される。給電１８は基体１２を通って延びる。給電１８は内側パッチ１４の中心から結合されるが、これは円偏波信号用アンテナには普通のことである。
【００１８】
動作
アンテナ１０は、別の周波数および別の偏波を有する２つの異なった信号を単一給電１８上に出力する。内側パッチ１４は、例えば衛星ラジオに関連した左旋円偏波（ＬＨＣＰ）信号を受信するために独立して動作する。パッチ１４および１６は、例えばＧＰＳ信号に関連した右旋円偏波（ＲＨＣＰ）信号を受信するためにともに動作する。
【００１９】
図４は、増幅器５０および二重通過帯域フィルタ５２に結合されたアンテナ１０を示す概略図である。増幅器５０は、当業者に既知の任意の適当な設計である。同様に、二重通過帯域フィルタ５２は、当業者に既知の任意の適当な設計である。アンテナ１０が衛星ラジオ信号およびＧＰＳ信号向けであるとき、２つの通過帯域は、衛星ラジオ信号用の２．３２０ＧＨｚから２．３４５ＧＨｚの範囲、およびＧＰＳ信号用の１．５７４ＧＨｚから１．５７６ＧＨｚの範囲にある。二重通過帯域フィルタ５２の出力５４は、衛星ラジオ受信器および／またはＧＰＳユニットに供給される。
【００２０】
図５〜図１４は、現行の実施形態のアンテナの性能を示すグラフおよび図表である。図５は、同一平面上のパッチのインピーダンスを示すスミス図表である。この図表は、同一平面上のパッチが各共振で円偏波検出を有する二重の共振を有することを示す。（インピーダンスからどの偏波検出かは分らないが、円偏波検出または直線偏波検出かどうか分る。）マーカＲ１、Ｘ１およびＲ２、Ｘ２は、それぞれＧＰＳ帯域およびＸＭ帯域でのインピーダンスの実部と虚部を表す。インピーダンス値は５０オームに対して正規化されている。
【００２１】
図６は、同一平面上のパッチの反射減衰量をｄＢで示す。グラフは、両方の共振周波数で、アンテナが実用上都合よく適合することができる（反射減衰量が１０ｄＢを上回る）ことを示す。マーカＸ１、Ｙ１およびＸ２、Ｙ２は、それぞれ共振の周波数および反射減衰量をｄＢで表す。
【００２２】
図７は、ＸＭ周波数範囲での同一平面上のパッチの金属被覆上の表面ＲＦ電流分布の図解である。白は最大の表面電流に対応し、黒は最小の表面電流に対応する。共振する構造体は、面取りコーナが「ホット・スポット」である内側パッチであり、図は、電流分布が、面取り周辺に対するプローブ位置に基づいたＬＨＣＰ放射を示すことを表している。さらに、外側パッチ上の表面電流分布が最小限であるという事実によって明示されるように、外側パッチは共振していない。
【００２３】
図８は、ＧＰＳ周波数範囲での同一平面上のパッチの金属被覆上の表面ＲＦ電流分布図である。繰り返しになるが、白は最大の表面電流に対応し、黒は最小の表面電流に対応する。共振する構造体は、面取りコーナが「ホット・スポット」である外側パッチであり、図は、電流分布が、面取り周辺に対するプローブ位置に基づいたＲＨＣＰ放射を示すことを表している。さらに、内側パッチ上の表面電流分布が最小限であるという事実によって明示されるように、内側パッチは共振していない。
【００２４】
図９は、ＧＰＳ周波数範囲における同一平面上のパッチの放射パターンを示す。利得は、ｄＢｉｃ（理論的な等方性放射体に対するデシベルで表示した円偏波アンテナの利得）で示される。曲線Ｃ１はアンテナの共偏波と名付けられたＲＨＣＰであり、曲線Ｃ２はアンテナの交差偏波と名付けられたＬＨＣＰである。ＲＨＣＰは、振幅においてＬＨＣＰよりはるかに大きい。この放射パターンのカットは仰角シータ（θ）の関数としての利得と呼ばれ、図２の極座標で示されたＺ軸のプラスに向って測定される。最大の利得はθ＝０°で生じ、アンテナのボアサイトとも呼ばれる。これはパッチ・アンテナに関する一般的な放射パターンである。さらに、この特別のカットは方位角ファイ（Φ）が０°にある。Φは図２に示されたプラスのＸ軸から測定される。
【００２５】
図１０は、方位角Φ＝９０°であることを除けば図９に似ている。アンテナのボアサイトで最大の共偏波ＲＨＣＰが生じる。
図１１は、ＧＰＳ周波数の範囲内で、仰角θ＝０で（すなわちボアサイトで）、方位角Φの関数として利得を示す。曲線Ｃ３はＲＨＣＰであり、曲線Ｃ４はＬＨＣＰである。ＲＨＣＰ（共偏波）がＬＨＣＰ（交差偏波）より少なくとも１７．５ｄＢ高く、ＧＰＳ周波数範囲でアンテナが右旋円偏波であることを示唆している。
【００２６】
図１２は、ＸＭ周波数範囲内での放射パターン（利得はｄＢｉｃ）を示す。曲線Ｃ５はアンテナの共偏波をと名付けられたＬＨＣＰであり、曲線Ｃ６はアンテナの交差偏波と名付けられたＲＨＣＰである。ＬＨＣＰは、振幅においてＲＨＣＰよりはるかに大きい。この放射パターンのカットも、「仰角シータ（θ）の関数としての利得」と呼ばれる。最大の利得はθ＝０°で生じ、これもアンテナのボアサイトである。繰り返しになるが、これはパッチ・アンテナの一般的な放射パターンである。さらに、このカットは方位角ファイ（Φ）が０°にある。
【００２７】
図１３は、方位角Φ＝９０°であることを除けば図１２に似ている。アンテナのボアサイトで最大の共偏波ＬＨＣＰが生じる。
図１４はＸＭ周波数範囲内で、仰角θ＝０で（すなわちボアサイトで）、方位角Φの関数として利得を示す。曲線Ｃ７はＬＨＣＰであり、曲線Ｃ８はＬＨＣＰである。ＬＨＣＰ（共偏波）がＲＨＣＰ（交差偏波）より少なくとも１３ｄＢ高く、アンテナが左旋円偏波であることを示唆している。
【００２８】
上記の説明は本発明の現行の実施形態のものである。添付の特許請求の範囲で定義される本発明の趣旨および広範な態様から逸脱することなく様々な変更および修正を加えることができ、これらは均等物の理論を含む特許法の原理によって解釈されることになっている。
【図面の簡単な説明】
【００２９】
【図１】アンテナの最上部斜視図。
【図２】基体が示されていないアンテナの底部斜視図。
【図３】アンテナの上面図。
【図４】アンテナおよびそれへの取付け用に企図された信号処理構成要素の概略図。
【図５】アンテナの性能を示すグラフおよび図表。
【図６】アンテナの性能を示すグラフおよび図表。
【図７】アンテナの性能を示すグラフおよび図表。
【図８】アンテナの性能を示すグラフおよび図表。
【図９】アンテナの性能を示すグラフおよび図表。
【図１０】アンテナの性能を示すグラフおよび図表。
【図１１】アンテナの性能を示すグラフおよび図表。
【図１２】アンテナの性能を示すグラフおよび図表。
【図１３】アンテナの性能を示すグラフおよび図表。
【図１４】アンテナの性能を示すグラフおよび図表。
【図１】
2008543204.tif 000003
【図２】
2008543204.tif 000004
【図３】
2008543204.tif 000005
【図４】
2008543204.tif 000006
【図５】
2008543204.tif 000007
【図６】
2008543204.tif 000008
【図７】
2008543204.tif 000009
【図８】
2008543204.tif 000010
【図９】
2008543204.tif 000011
【図１０】
2008543204.tif 000012
【図１１】
2008543204.tif 000013
【図１２】
2008543204.tif 000014
【図１３】
2008543204.tif 000015
【図１４】
2008543204.tif 000016
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
アンテナであって、
実質的に平面状の第１のアンテナ素子と、
前記第１のアンテナ素子を囲む実質的に平面状の第２のアンテナ素子であって、前記第１および第２のアンテナ素子が実質的に同一平面上にある、第２のアンテナ素子と、
前記第１および第２のアンテナ素子のうち１つのみに結合された給電と
を備え、前記第１および第２のアンテナ素子の他の１つは給電が結合されず無給電であり、それによって異なった周波数および異なった偏波を有する少なくとも２つの信号が前記給電上に生じるアンテナ。
【請求項２】
前記異なった偏波が円偏波である請求項１に記載のアンテナ。
【請求項３】
前記第１および第２のアンテナ素子が間に画定された間隙によって互いに物理的に離間している請求項１または２に記載のアンテナ。
【請求項４】
前記第１のアンテナ素子が実質的に正方形であり、
前記第２のアンテナ素子が実質的に正方形の内側周辺部および実質的に正方形の外側周辺部を有する請求項１〜３のいずれか１項に記載のアンテナ。
【請求項５】
前記第１のアンテナ素子および前記第２のアンテナ素子の前記内側周辺部が、実質的に一様な幅の間隙を画定する請求項４に記載のアンテナ。
【請求項６】
前記給電が前記第１のアンテナ素子に結合される請求項１〜５のいずれか１項に記載のアンテナ。
【請求項７】
アンテナであって、
第１の周波数および第１の偏波を有する第１の信号を受信するように適合された第１のアンテナ素子と、
前記第１の周波数と異なる第２の周波数および該第１の偏波と異なる第２の偏波を有する第２の信号を受信するように適合された第２のアンテナ素子と、
前記アンテナ素子のうち１つのみに接続された単一給電であって、前記第１および第２のアンテナ素子の他の１つには給電が結合されず無給電であり、前記アンテナ素子のうち１つのみに接続された単一給電と、
を備え、それによって該第１および第２の信号が前記給電上に生じるアンテナ。
【請求項８】
前記第１および第２の偏波が円偏波である請求項７に記載のアンテナ。
【請求項９】
前記第１および第２のアンテナ素子が互いに物理的な接触をしない請求項７または８に記載のアンテナ。
【請求項１０】
前記第２のアンテナ素子が前記第１のアンテナ素子を囲む請求項７〜９のいずれか１項に記載のアンテナ。
【請求項１１】
前記第１および第２のアンテナ素子が実質的に平面状であり、かつ実質的に同一平面にある請求項７〜１０のいずれか１項に記載のアンテナ。
【請求項１２】
前記第１のアンテナ素子が実質的に正方形であり、
前記第２のアンテナ素子が実質的に正方形の内側周辺部および実質的に正方形の外側周辺部を含み、前記第１および第２のアンテナ素子が実質的に同心である請求項７〜１１のいずれか１項に記載のアンテナ。
【請求項１３】
前記第１のアンテナ素子および前記第２のアンテナ素子の前記内側周辺部が、全体的に一様な間隙を画定する請求項１２に記載のアンテナ。
【請求項１４】
前記単一給電が前記第１のアンテナ素子に結合される請求項７〜１３のいずれか１項に記載のアンテナ。
【請求項１５】
アンテナであって、
実質的に正方形で４つの角を有し、前記４つの角のうち互いに対角線上にある２つの角が直角でない実質的に平面状の第１のアンテナ素子と、
前記第１のアンテナ素子と実質的に同一平面上で、前記第１のアンテナ素子を囲む実質的に平面状の第２のアンテナ素子とであって、前記第２のアンテナ素子が、各々が実質的に正方形で４つの角を有する内側周辺部および外側周辺部を有し、前記内側周辺部と前記外側周辺部が実質的に同心であり、前記内側および外側の周辺部の各々上の前記角のうち互いに筋向いにある２つが直角でなく、前記内側周辺部の前記２つの角が、前記第１のアンテナ素子の前記２つの角と隣接し、前記外側周辺部の前記２つの角が、前記第１のアンテナ素子の前記２つの角から離れており、さらに
前記第１のアンテナ素子にのみ物理的に結合された給電と
を備え、前記第２のアンテナ素子が給電を有しないアンテナ。
【請求項１６】
前記第１および第２のアンテナ素子が互いに物理的な接触をしない請求項１５に記載のアンテナ。
【請求項１７】
前記第１のアンテナ素子および前記第２のアンテナ素子の前記内側周辺部が、実質的に一様な幅を有する間隙を画定する請求項１５または１６に記載のアンテナ。
【請求項１８】
前記第１のアンテナ素子が実質的に正方形で４つの角を有し、該角のうち互いに対角線上にある２つが直角でなく、前記間隙の幅が、該第１のアンテナ素子の外周のまわりで実質的に一様であり、該間隙が、該第１のアンテナ素子の直角でない角の領域で広がる請求項３に記載のアンテナ。
【請求項１９】
前記第１のアンテナ素子が４つの角を有し、該角のうち互いに対角線上にある２つが直角でなく、前記第２のアンテナ素子の前記内側および外側の周辺部の各々が４つの角を含み、該内側および外側の周辺部の各々上の該角のうち互いに対角線上にある２つが直角でなく、該内側周辺部の該２つの角が、該第１のアンテナ素子の該２つの角と隣接し、該外側周辺部の該２つの角が、該第１のアンテナ素子の該２つの角から離れる請求項４、５、１２、または１３のいずれか１項に記載のアンテナ。
【請求項２０】
前記第１のアンテナ素子が４つの角を有し、該角のうち互いに筋向いにある２つが面取りされており、前記第２のアンテナ素子の前記内側および外側の周辺部の各々が４つの角を含み、該内側および外側の周辺部の各々上の該角のうち互いに筋向いにある２つが面取りされており、該内側周辺部の該２つの角が、該第１のアンテナ素子の該２つの角と隣接し、該外側周辺部の該２つの角が、該第１のアンテナ素子の該２つの角から離れる請求項４、５、１２、または１３のいずれか１項に記載のアンテナ。
【請求項２１】
前記第２のアンテナ素子にいかなる給電も結合されることなく、該第２のアンテナ素子が寄生給電である請求項１〜２０のいずれか１項に記載のアンテナ。
【請求項２２】
前記第１のアンテナ素子が、左旋円偏波（ＬＨＣＰ）信号を受信するために前記第２のアンテナ素子から独立して動作可能であり、該第１および第２のアンテナ素子が、右旋円偏波（ＲＨＣＰ）信号を受信するために共同で動作可能である請求項１〜２１のいずれか１項に記載のアンテナ。
【請求項２３】
前記第１のアンテナ素子が、全地球測位システム（ＧＰＳ）に関連した信号を受信するために前記第２のアンテナ素子から独立して動作可能であり、該第１および第２のアンテナ素子が、衛星デジタル・オーディオ・ラジオ放送（ＳＤＡＲＳ）に関連した信号を受信するために共同で動作可能である請求項１〜２２のいずれか１項に記載のアンテナ。
【請求項２４】
前記アンテナが、給電を１つのみを使用して、異なる帯域の動作および異なる円偏波を同時に実現する動作が可能である請求項１〜２３のいずれか１項に記載のアンテナ。
【国際調査報告】
2008543204.tif 000017
2008543204.tif 000018